(57)【要約】【課題】    氷削器の回転軸の突出を抑制する。【解決手段】  本願考案は、ケーシング１と、ケーシング１内に配された回転板３と、ハンドル４が設けられた回転軸２と、弾性体５とを備え、ケーシング１は、底部１１と天部１２とを有し、回転軸２は、天部１２を貫通して配置され、回転軸２の先端は回転板３に固定され、ハンドル４は天部１２の外側に配置され、底部１１には刃６が設けられ、回転板３には氷を保持する保持部７…７が設けられ、弾性体５は回転板３をケーシング１の底部１１側に向けて付勢し、ケーシング１内にて底部１１と回転板３の間に氷を挟み、ハンドル４を回して回転板３を回転させることにより、氷を上記の刃６に対して相対的に回転させて削る氷削器を提供する。回転軸２は、ケーシング１内にて伸縮可能に設けられ、氷を収容するに際し回転板３を天部１２側に後退させた場合、回転軸２が縮むことにより、回転軸２がケーシング１外部へ突出しない。【選択図】          図２
0003107123.tif 000002
【実用新案登録請求の範囲】
【請求項１】
氷を収容するケーシングと、ケーシング内に配された回転板と、ハンドルが設けられた回転軸と、バネ等の弾性体とを備え、ケーシングは、底部と天部とを有するものであり、上記の回転軸は、ケーシング天部を貫通して配置され、回転軸の先端は、上記の回転板に固定され、上記ハンドルはケーシング天部の外側に配置され、ケーシング底部と回転板の何れか一方には氷を削る刃が設けられ、ケーシング底部と回転板の何れか他方には氷を保持する爪等の保持部が設けられ、上記の弾性体は、回転板をケーシングの底部側に向けて付勢するものであり、ケーシング内にて底部と回転板の間に氷を挟み、ハンドルを回して回転板を回転させることにより、氷を、上記の刃に対して相対的に回転させて削る氷削器において、
上記の回転軸は、ケーシング内にて伸縮可能に設けられ、氷を収容するに際し回転板を天部側に後退させた場合、回転軸が縮むことにより、回転軸のケーシング外部への突出が抑制されたものであることを特徴とする氷削器。
【請求項２】
上記の回転軸は、ケーシング内部にて、回転可能に天部に固定された固定軸と、固定軸に接続された接続軸の、少なくとも２つの軸を備えるものであり、
固定軸と接続軸の少なくとも何れか一方の軸は中空であり、固定軸と接続軸の何れか他方の軸を当該一方の軸の内部に収容することによって、回転軸の軸方向の幅を縮小することが可能なものであり、回転軸は、固定軸に対し接続軸が回転するのを阻止する、回り止め機構を備えたものであることを特徴とする請求項１記載の氷削器。
【請求項３】
ハンドルは、ハウジングの天部の表面に沿って配置された基盤と、基盤の周縁に設けられた摘みとを備えたものであり、ケーシングに氷を収容した際、上記回転軸の縮小により、基盤がハウジングの天部から離れないものであることを特徴とする請求項２記載の氷削器。
【請求項４】
ケーシングと別体に形成され且つケーシングの下部に接続されることによりケーシングを支持する支持体を備え、
上記の接続軸の先端が、回転板の上面に固定されており、
上記の保持部は、回転板の底面に設けられた複数の爪であり、氷を削る上記の刃は、ケーシングの底部に設けられ、
ケーシング底部は、刃が削った氷を排出する排出口を備え、
上記の支持体は、排出口から排出される、かき氷を収容する容器であり、
上記の回転軸の上記固定軸が中空に形成され、接続軸が固定軸内に収容されて、回転軸の軸方向の幅を縮小するものであり、
上記の回り止め機構は、固定軸の内面に設けられた当接部と、接続軸の表面に設けられた被当接部とにて構成され、回転軸の回転時、当接部が被当接部と当接して、固定軸に対する接続軸の周方向への旋回を阻止するものであり、
上記の弾性体は、ケーシング内において、天部と回転板との間に配設され、天部と回転板との間隔を広げる方向に両者を付勢するものであり、
上記のケーシングは、上記の底部と天部とを端部とする直径が５〜１５ｃｍの円筒状体であり、支持体は、ケーシングとほぼ同径の円筒状体であり、ケーシングに接続されて、ケーシングと共に一本の筒状体を形成するものであることを特徴とする請求項３記載の氷削器。
【考案の詳細な説明】
【技術分野】
【０００１】
本願考案は、氷削器の改良に関する。
【背景技術】
【０００２】
家庭で、かき氷を簡単に作るための調理器として、図６に示す氷削器が一般的である。これは、氷を収容するケーシングａ１と、ケーシングａ１を支持する脚ａ１０…ａ１０と、ケーシングａ１内に配された回転板ａ３と、ハンドルａ４が設けられた回転軸ａ２と、バネａ５とを備える。上記のケーシングａ１は、底部ａ１１と天部ａ１２とを有する。上記の回転軸ａ２は、ケーシング天部ａ１２を貫通して配置され、回転軸ａ２の先端は、上記の回転板ａ３に固定され、上記ハンドルａ４はケーシング天部ａ１２の外側に配置される。ケーシング底部ａ１１には氷を削る刃ａ６が設けられ、回転板ａ３には氷を保持する複数の爪ａ７…ａ７が設けられている。上記のバネａ５は、回転板ａ３をケーシングａ１の底部ａ１１側に向けて付勢するものである。この氷削器の利用者は、図７へ示すように、ケーシングａ１内にて底部ａ１１と回転板ａ３の間に氷ｃを挟み、ハンドルを回して回転板ａ３を回転させることにより、氷を、上記刃に対して相対的に回転させて削ることができる。削られた氷（かき氷）は、脚部ａ１０…ａ１０間に置かれた食器ｂに落とされる。
尚、上記図６及び図７において、Ｕは上方を、Ｓは下方を示している。
この種の氷削器としては、特許文献１及び２に見られるものがある。
【０００３】
【特許文献１】実開平５−５２６７５号公報
【特許文献２】実公平７−２８５４１号公報
【特許文献３】特公平７−９３３４号公報
【０００４】
しかし、図７に示す通り、氷ｃを収容することによって、回転軸ａ２が、上方に後退して、ケーシング天部ａ１２より上方に突出する。このため、ハンドルａ４がケーシング天部ａ１２から上方に出っ張り、邪魔になる。また、ハンドルａ４が出っ張り、ケーシング天部ａ１２より回転軸ａ２が上方へ突出することにより、ハンドルａ４に加わる力で、回転軸ａ２が折れる危惧がある。詳しくは、ハンドルａ４を回す際、利用者は、通常、ハンドルａ４を回す力のみ加えるという訳はなく、回す力と共にハンドルａ４に対して下方に押圧する力を加えて操作を行っている（利用者にとって、ハンドルに対し回転力だけを加えるというのは困難であり、どうしても下方にハンドルを押し付けながら氷を削る操作を行うことになる）。従って、回転軸の上方に露出する幅ｔが大きくなることによって、回転軸は上記下方への押圧を受けて、折れ易い。
また、削られて氷が小さくなるに従って、ハンドルａ４の位置が随時変化し、その操作が行い難いものとなっている。
【０００５】
この他、特許文献３に見られるものは、歯車を用いて回転軸ａ２（回転軸体１１１）を昇降させるた複雑な構成を採るものであり、洗浄などの手間を考えても、簡易な氷削器という訳ではなく、上記の他の氷削器と同列に論ずるのは適当ではないが、その回転軸ａ２は、ハンドルａ４（ハンドル１１３）の内部に収容され氷の収容による上方への後退によって、回転軸ａ２が直接ケーシングの外部へ露出するものではない。
しかし、このような収容部を形成するスペース（厚み）をハンドルａ４に設けておく必要があり、その分ハンドルａ４が、かさ高になる。
【考案の開示】
【考案が解決しようとする課題】
【０００６】
本願考案は、上記の回転軸のケーシング外部への突出を抑制することにより、上記の問題の解決を図るものである。
【課題を解決するための手段】
【０００７】
本願第１の考案は、氷を収容するケーシング１と、ケーシング１内に配された回転板３と、ハンドル４が設けられた回転軸２と、バネ等の弾性体５とを備え、ケーシング１は、底部１１と天部１２とを有するものであり、上記の回転軸２は、ケーシング１天部１２を貫通して配置され、回転軸２の先端は、上記の回転板３に固定され、上記ハンドル４はケーシング１天部１２の外側に配置され、ケーシング１底部１１と回転板３の何れか一方には氷を削る刃６が設けられ、ケーシング１底部１１と回転板３の何れか他方には氷を保持する爪等の保持部７…７が設けられ、上記の弾性体５は、回転板３をケーシング１の底部１１側に向けて付勢するものであり、ケーシング１内にて底部１１と回転板３の間に氷を挟み、ハンドル４を回して回転板３を回転させることにより、氷を、上記の刃６に対して相対的に回転させて削る氷削器について、次の手段を備えたものを提供する。
即ち、上記の回転軸２は、ケーシング１内にて伸縮可能に設けられ、氷を収容するに際し回転板３を天部１２側に後退させた場合、回転軸２が縮むことにより、回転軸２のケーシング１外部への突出が抑制されたものである。
【０００８】
本願第２の考案に係る氷削器では、上記第１の考案に係る氷削器にあって、次の手段を備えた氷削器を提供する。
上記の回転軸２は、ケーシング１内部にて、回転可能に天部１２に固定された固定軸２１と、固定軸２１に接続された接続軸２２の、少なくとも２つの軸２１，２２を備える。固定軸２１と接続軸２２の少なくとも何れか一方の軸は中空であり、固定軸２１と接続軸２２の何れか他方の軸を当該一方の軸の内部に収容することによって、回転軸２の軸方向の幅を縮小することが可能なものである。回転軸２は、固定軸２１に対し接続軸２２が回転するのを阻止する回り止め機構を備える。
【０００９】
本願第３の考案に係る氷削器では、上記第２の考案に係る氷削器にあって、ハンドル４は、ハウジング１の天部１２の表面に沿って配置された基盤４１と、基盤４１の周縁に設けられた摘み４２とを備えたものであり、ケーシング１に氷を収容した際、上記回転軸２の縮小により、基盤４１がハウジング１の天部１２から離れないものである。
【００１０】
本願第４の考案に係る氷削器では、上記第３の考案に係る氷削器にあって、
ケーシング１と別体に形成され且つケーシング１の下部に接続されることによりケーシング１を支持する支持体１０を備える。上記の接続軸２２の先端が、回転板３の上面に固定されている。上記の保持部７…７は、回転板３の底面に設けられた複数の爪であり、氷を削る上記の刃６は、ケーシング１の底部１１に設けられる。ケーシング１底部１１は、刃が削った氷を排出する排出口１３を備える。上記の支持体１０は、排出口１３から排出される、かき氷を収容する容器である。上記の回転軸２の上記固定軸２１が中空に形成され、接続軸２２が固定軸２１内に収容されて、回転軸２の軸方向の幅を縮小する。上記の回り止め機構は、固定軸２１の内面に設けられた当接部２３と、接続軸２２の表面に設けられた被当接部２４とにて構成され、回転軸の回転時、当接部２３が被当接部２４と当接して、固定軸２１に対する接続軸２２の周方向への旋回を阻止するものである。上記の弾性体５は、ケーシング１内において、天部１２と回転板３との間に配設され、天部１２と回転板との間隔を広げる方向に両者を付勢する。上記のケーシング１は、上記の底部１１と天部１２とを端部とする直径が５〜１５ｃｍの円筒状体である。支持体１０は、ケーシング１とほぼ同径の円筒状体であり、ケーシング１に接続されて、ケーシング１と共に一本の筒状体を形成するものである。
ここで「ほぼ同径」とは、ケーシング１の直径との差が±０．５ｃｍ以内の、直径を有するという意味である。
【考案の効果】
【００１１】
本願の第１〜第４の考案にあっては、氷を収容するに際し回転板をケーシングの天部側に後退させた場合、回転軸が縮んで、ケーシング外部へ突出させない。このため、ハンドルの位置が変わらず定位置で回すことができ、その操作が行い易い。また、ケーシングから回転軸を突出させないことにより、ハンドルに力が加わっても、回転軸を破損するという危惧がない。
また、氷を収容した際、前述の通り、ハンドルが上方に出っ張ると邪魔になり、ハンドルがケーシングから上方に離れるとその位置が変化しなくとも、その操作が行い難くなるが、このような問題を解消した。
【００１２】
本願第２の考案は、上記の伸縮する回転軸の形態として、より具体的な手段を提供する。
本願第３の考案は、ハンドルが基盤と摘みとにて構成されたものについて、上記の効果を得るものである。即ち、氷収容時、特に、基盤がハウジングから浮き上がらず、その操作性が向上した。
また、本願第４の考案は、上記の氷削器について、より具体的な手段を提供したものである。即ち、ケーシングに接続可能な支持体をかき氷を収容する容器であるため、別途に氷を受ける食器を用意する必要がない。また、氷を削る際に、ケーシング及び支持体が手で握り易い寸法の一本の円筒状体を構成するものであるため、円滑な操作が行える。更に、支持体とケーシングとの一体感を増し、コンパクトに纏まった優れたデザインを呈する。また、ハウジングの天部に沿った状態に基盤を配置することにより、摘みを握って操作を行う際に、下方への押圧力を円板状の基盤が分散して天部へ伝え、回転軸に掛かる負担を著しく軽減した。回転軸が天部より突出しないことにより、このような基盤による力の分散の効果は、常時確実に得られる。
【考案を実施するための最良の形態】
【００１３】
以下、図面に基づき本願考案の実施の形態について説明する。
図１〜図５へ本願考案の一実施の形態を示す。図１は、本願考案に係る氷削器の氷を収容していない状態の全体側面図である。図２は、図１の一部切欠縦断面図である。図３は、氷を収容した状態の（使用状態の）上記氷削器の全体側面図である。図４は、図２の一部切欠縦断面図である。図５（Ａ）は上記氷削器の要部（回転軸２）の分解斜視図であり、図５（Ｂ）は回転軸２の縮小状態を示す要部斜視図であり、図５（Ｃ）は回転軸２の伸長状態を示す要部斜視図である。
各図において、説明の便宜上、Ｕは上方を、Ｓは下方を、夫々示している。
【００１４】
図１及び図２に示す通り、この氷削器は、氷を収容するケーシング１と、ケーシング１の支持体１０と、ケーシング１内に配された回転板３と、ハンドル４が設けられた回転軸２と、バネ等の弾性体５とを備える。
以下、更に詳しく説明する。
【００１５】
ケーシング１は、両端が底部１１と天部１２とにて封じられた、直径５〜１５ｃｍの円筒状体である。
ケーシング１底部１１には氷を削る刃６が設けられている。また、ケーシング１底部１１には、当該刃６に削られた氷（かき氷）をケーシング１の底部１１から下方に排出する排出口１３が設けられている。
ケーシング１の天部１２は、蓋体であり、ケーシング１から分離することが可能である。この天部１２をケーシング１から外して、氷をケーシング１内へ収容することができる。
【００１６】
支持体１０は、ケーシング１と別体に形成され且つケーシング１の下部（底部）に接続されることによりケーシング１を支持するものである。この支持体１０は、排出口１３から排出されるかき氷を、収容する容器である。具体的には、支持体１０は、ケーシング１とほぼ同径の円筒状体であり、ケーシング１に接続されて、ケーシング１と共に一本の筒状体を形成する。支持体１０の底部には、ゴム等の滑り止め１４が設けられている。
【００１７】
上記の回転軸２は、ケーシング１天部１２を貫通して配置される。図２において、１５は、ケーシング１の天部１２に設けられ、回転軸２を通す貫通孔を示している。詳しくは、回転軸２は、ケーシング１内部にて、回転可能に天部１２に固定された固定軸２１と、固定軸２１に接続された接続軸２２の、少なくとも２つの軸２１，２２を備える。固定軸２１は中空に形成され、接続軸２２は固定軸２１内に収容されて、回転軸２の軸方向の幅を縮小する。上記接続軸２２の先端は、上記の回転板３の上面に固定されている。図５へ示す通り、固定軸２１は、その上端（基端）左右に固定用片２５，２５が設けられている。図２へ示す通り、この固定用片２５，２５にネジ等の固定具を通すことにて、固定軸２１は、ハンドル４の基盤４１へ固定される。尚、図示はしないが、回転軸２（固定軸２１）には、ケーシング１の天部１２から上方へ、その基端側（上端側）を突出させないように、ケーシング１内部において、天部１２と当接する当たりが設けられている。このような当たりとしては、固定軸２１の外周面にフランジ状の部材を設けることによって実施することができる。但し、このような当たりには、固定軸２１の測面（周面）から突出する突起などの、他の形状を採用して実施することもできる。
【００１８】
また、回転軸２は、固定軸２１に対し接続軸２２が回転するのを阻止する回り止め機構を備える。この回り止め機構は、図５へ示す通り、固定軸２１の内面に設けられた当接部２３と、接続軸２２の表面に設けられた被当接部２４とにて構成され、回転軸の回転時、当接部２３が被当接部２４と当接して、固定軸２１に対し接続軸２２の周方向への旋回を阻止するものである。この実施の形態において、固定軸２１も接続軸２２の何れも断面が円形であるので、空回りしないように、このような回り止めの機構を設けておく必要がある。従って、固定軸２１及び接続軸２２について、その断面形状を多角形にすることにより回り止め機構を実現することもできる。
また、固定軸２１の下端（先端）には小径部２７が設けられており、接続軸２２の上端（基端）には大径部２８が設けられている。小径部２７は、固定軸２１において他の部位よりも内径が小さく形成された部位である。大径部２８は、接続軸２２において他の部位よりも外径が大きく形成された部位である。大径部２８の外径は、小径部２７の内径よりも大きく、固定軸２１の小径部２７以外の部位の内径よりも小さい。これにて、接続部２２を、固定軸２１に対し伸長させても、上記の大径部２８が小径部２７に当たり、固定軸２１から脱落する危惧がない。製造時、図５（Ａ）へ示すように、ハンドル４へ取り付け前の固定軸２１の上端（基端）から、接続軸２２を固定軸２１内へ挿入すればよい。
【００１９】
回転軸２が備えるハンドル４は、ケーシング１天部１２の外側に配置される。ハンドル４は、ハウジング１の天部１２の表面に沿って配置された基盤４１と、基盤４１の周縁に設けられた摘み４２とを備えたものであり、上記回転軸２の縮小により、ケーシング１に氷を収容した際、基盤４１がハウジング１の天部１２から離れない。ハンドル４の基盤４１は、ケーシング１とほぼ同径の円板である。
【００２０】
回転板３は、その底部に、氷を保持する保持部７が設けられている。保持部７は、氷に突き刺さる複数の爪である。
上記の弾性体５は、バネであり、ケーシング１内において、天部１２と回転板３との間に配設され、天部１２と回転板との間隔を広げる方向に両者を付勢する。従って、氷ｃをケーシング１の底部１１と回転板３との間に収容することにより、弾性体５の上記付勢を受けて、氷ｃは挟まれ、保持部７が氷ｃ上面に突き刺さる。この状態において、ハンドル４にて回転軸２を回転させることにより、回転板３と共に氷ｃを（ケーシング１底部１１に対して）回転させることができ、上記の刃６が氷ｃを削る。
上記の通り、接続軸２２を固定軸２１内から出没させることにより、回転軸２は、ケーシング１内にて伸縮可能となっており、氷を収容するに際し回転板３を天部１２側に後退させた場合、回転軸２が縮むことにより、回転軸２のケーシング１外部へ突出しない（基盤４１を含めハンドル４は、その上下の位置を変化させない）。
【００２１】
上記の実施の形態において、刃６はケーシング１の底部１１に設けられ、保持部７は回転板３に設けられたものとしたが、両者を逆に設けるものとしても実施可能である。また、図１〜図５に示す実施の形態とは逆に、固定軸２１が接続軸２２内に収容されるものとしても実施可能である。
【図面の簡単な説明】
【００２２】
【図１】本願考案に係る氷削器の氷を収容していない状態の全体側面図である。
【図２】図１の一部切欠縦断面図である。
【図３】氷を収容した状態の（使用状態の）上記氷削器の全体側面図である。
【図４】図２の一部切欠縦断面図である。
【図５】（Ａ）は上記氷削器の要部（回転軸）の分解斜視図であり、（Ｂ）は縮小状態を示す要部斜視図であり、（Ｃ）はその伸長状態を示す要部斜視図である。
【図６】従来の氷削器の未使用状態を示す全体縦断面図である。
【図７】図６に示す従来の氷削器未使用状態を示す全体縦断面図である。
【符号の説明】
【００２３】
１    ケーシング
２    回転軸
３    回転板
４    ハンドル
５    弾性体
６    刃
７    保持部
１０    支持体
１１  （ケーシング１の）底部
１２  （ケーシング１の）天部
１３  （ケーシング１の）排出口
１４    滑り止め
２１  （回転軸２の）固定軸
２２  （回転軸２の）接続軸
４１  （ハンドル４の）基盤
４２    摘み
【図１】
0003107123.tif 000003
【図２】
0003107123.tif 000004
【図３】
0003107123.tif 000005
【図４】
0003107123.tif 000006
【図５】
0003107123.tif 000007
【図６】
0003107123.tif 000008
【図７】
0003107123.tif 000009